(57)【要約】【課題】子機使用時の利便性を向上させながら、子機により通話中の状態を切り替えることが可能な電話機および固定電話機を提供する。【解決手段】この固定電話機１（電話機）は、ダイヤルボタン２１とフック２３とを含むとともに専用のボタンを用いずに３者通話可能な子機２に接続可能な内線通信部１２と、Ｌ１通信部１３およびＬ２通信部１４と、通話を制御する制御部１１とを備え、制御部１１は、子機２のダイヤルボタン２１およびフック２３のうち少なくとも一方による操作に基づいてＬ１回線およびＬ２回線のうち一方との通話中の状態から他方との通話中の状態に切り替える制御、および、Ｌ１回線およびＬ２回線を用いて３者通話中の状態から新たに着信したＬ１回線またはＬ２回線との通話中の状態に切り替える制御のうち少なくとも一方の制御を行うように構成されている。【選択図】図４
2013012987.tif 000002
【特許請求の範囲】
【請求項１】
ダイヤルボタンと通話を切断するためのフックとを含むとともに専用のボタンを用いずに３者通話可能な子機に接続可能な内線通信部と、
第１外線に接続可能な第１外線通信部および第２外線に接続可能な第２外線通信部と、
前記第１外線および前記第２外線のうち少なくとも一方を用いた２者以上で通話可能に通話を制御する制御部とを備え、
前記制御部は、前記子機の前記ダイヤルボタン及び前記フックの内少なくとも一方による操作に基づいて、前記第１外線および前記第２外線のうち一方との２者通話中の状態または一方に発信中の状態から他方との２者通話中の状態に切り替える制御、ならびに、前記第１外線との通話中の状態から新たに着信した前記第１外線との通話中の状態に切り替える場合および前記第２外線との通話中の状態から新たに着信した前記第２外線との通話中の状態に切り替える場合以外で前記第１外線および前記第２外線のうち少なくとも一方を用いて２者以上で通話中の状態から新たに着信した前記第１外線または前記第２外線との通話中の状態に切り替える制御のうち少なくとも一方の制御を行うように構成されている、電話機。
【請求項２】
前記制御部は、前記子機の前記ダイヤルボタンおよび前記フックのうち少なくとも一方による操作に基づいて、前記第１外線および前記第２外線のうち一方との２者通話中の状態または一方に発信中の状態から保留中の他方または新たに着信した他方との２者通話中の状態に切り替える制御、および、前記第１外線および前記第２外線を用いて３者以上で通話中の状態から新たに着信した前記第１外線または前記第２外線との通話中の状態に切り替える制御のうち少なくとも一方の制御を行うように構成されている、請求項１に記載の電話機。
【請求項３】
電話帳を記憶する記憶部をさらに備え、
前記制御部は、ユーザが前記子機により前記第１外線および前記第２外線のうち少なくとも一方との通話中に、新たな着信があった際に、前記新たな着信が前記記憶部に記憶された前記電話帳に登録されている場合には前記ユーザに前記新たな着信を通知するとともに、前記新たな着信が前記電話帳に登録されていない場合には前記ユーザに前記新たな着信を通知しないように構成されている、請求項１または２に記載の電話機。
【請求項４】
前記制御部は、ユーザが前記子機により前記第１外線および前記第２外線のうち少なくとも一方との通話中に、新たな着信があった際に、前記第１外線および前記第２外線のいずれに対する着信かが識別可能なように前記ユーザに前記新たな着信を通知するように構成されている、請求項１〜３のいずれか１項に記載の電話機。
【請求項５】
前記制御部は、前記第１外線の着信および前記第２外線の着信の両方があった場合、前記子機の前記フックを用いた異なるフッキング操作または異なる前記ダイヤルボタンによる操作に基づいて、前記第１外線の着信および前記第２外線の着信のうち一方を選択的に通話中の状態にする制御を行うように構成されている、請求項１〜４のいずれか１項に記載の電話機。  
【請求項６】
前記制御部は、前記第１外線および前記第２外線と３者通話中に前記第１外線および前記第２外線のうち少なくとも一方に着信があった場合、前記子機の前記ダイヤルボタンおよび前記フックのうち少なくとも一方による操作に基づいて３者通話状態から前記第１外線または前記第２外線の着信との通話中の状態に切り替える制御を行うように構成されている、請求項１〜５のいずれか１項に記載の電話機。
【請求項７】
前記制御部は、前記第１外線との通話中に前記第１外線の着信および前記第２外線の着信の両方があった場合、前記子機の前記ダイヤルボタンおよび前記フックのうち少なくとも一方による操作に基づいて前記第１外線との通話中の状態から前記第１外線の着信との通話中の状態または前記第２外線との通話中の状態に切り替える制御を行うように構成されている、請求項１〜６のいずれか１項に記載の電話機。
【請求項８】
現在の通話状態を表示する表示部をさらに備え、
前記制御部は、前記第１外線および前記第２外線のそれぞれの通話状態に応じた優先順位に基づいて前記第１外線および前記第２外線に関する情報をそれぞれ前記表示部に表示する制御を行うように構成されている、請求項１〜７のいずれか１項に記載の電話機。
【請求項９】
前記表示部は、第１表示領域および第２表示領域を含み、
前記制御部は、前記第１外線および前記第２外線のうち通話中の状態である外線に関する情報を優先順位の高い情報として前記第１表示領域に表示させるとともに、前記第１外線および前記第２外線のうち着信中の状態または保留中の状態である外線に関する情報を優先順位の低い情報として前記第２表示領域に表示する制御を行うように構成されている、請求項８に記載の電話機。
【請求項１０】
前記表示部は、前記第１外線および前記第２外線の通話状態を操作するためのタッチパネル機能を含み、
前記制御部は、前記第１外線および前記第２外線に関するそれぞれの情報とともに、前記タッチパネルにより操作可能な前記第１外線および前記第２外線の通話状態を切り替えるための操作ボタンと、３者通話に切り替えるための操作ボタンとを前記表示部の同一画面上に表示させて、前記タッチパネルを介する操作に基づいて前記第１外線および前記第２外線の通話状態を切り替えまたは３者通話に切り替える制御を行うように構成されている、請求項８または９に記載の電話機。
【請求項１１】
ダイヤルボタンと通話を切断するためのフックとを含むとともに専用のボタンを用いずに３者通話可能な子機に接続可能な内線通信部と、
第１外線に接続可能な第１外線通信部および第２外線に接続可能な第２外線通信部と、
前記第１外線および前記第２外線のうち少なくとも一方を用いた２者以上で通話可能に通話を制御する制御部とを備え、
前記制御部は、前記子機の前記ダイヤルボタン及び前記フックの内少なくとも一方による操作に基づいて、前記第１外線および前記第２外線のうち一方との２者通話中の状態または一方に発信中の状態から他方との２者通話中の状態に切り替える制御、ならびに、前記第１外線との通話中の状態から新たに着信した前記第１外線との通話中の状態に切り替える場合および前記第２外線との通話中の状態から新たに着信した前記第２外線との通話中の状態に切り替える場合以外で前記第１外線および前記第２外線のうち少なくとも一方を用いて２者以上で通話中の状態から新たに着信した前記第１外線または前記第２外線との通話中の状態に切り替える制御のうち少なくとも一方の制御を行うように構成されている、固定電話機。
【発明の詳細な説明】
【技術分野】
【０００１】
この発明は、電話機および固定電話機に関し、特に、３者通話可能な電話機および固定電話機に関する。
【背景技術】
【０００２】
従来、３者通話可能な電話機および固定電話機が知られている（たとえば、特許文献１参照）。
【０００３】
上記特許文献１には、子機に接続可能な無線機（内線通信部）と、複数の回線（第１外線、第２外線）を互いに分離するスプリッタと、複数の回線と２者通話および３者通話可能に通話を制御する電話制御部（制御部）とを備える電話通信装置（電話機）が開示されている。この電話通信装置では、子機は、ダイヤルボタンと、キャッチホン着信に応答するためのキャッチボタンと、３者通話に移行するためのパーティコールボタン（専用のボタン）とを備えている。また、電話制御部は、子機のキャッチボタンによる操作に基づいて複数の回線のうち一方との通話中の状態から他方との通話中の状態に切り替える制御を行うように構成されている。
【先行技術文献】
【特許文献】
【０００４】
【特許文献１】特開２００４−１８７０８２号公報
【発明の概要】
【発明が解決しようとする課題】
【０００５】
しかしながら、上記特許文献１の電話通信装置（電話機）では、子機により複数の回線（第１外線、第２外線）のうち一方との通話中の状態から他方との通話中の状態に切り替えるためには、専用のキャッチボタンを備えた専用の子機を用いる必要があるので、子機使用時の利便性が低いという不都合がある。このため、子機使用時の利便性を向上させながら、子機により通話中の状態を切り替えることができないという問題点がある。
【０００６】
この発明は、上記のような課題を解決するためになされたものであり、この発明の１つの目的は、子機使用時の利便性を向上させながら、子機により通話中の状態を切り替えることが可能な電話機および固定電話機を提供することである。
【課題を解決するための手段および発明の効果】
【０００７】
この発明の第１の局面による電話機は、ダイヤルボタンと通話を切断するためのフックとを含むとともに専用のボタンを用いずに３者通話可能な子機に接続可能な内線通信部と、第１外線に接続可能な第１外線通信部および第２外線に接続可能な第２外線通信部と、第１外線および第２外線のうち少なくとも一方を用いた２者以上で通話可能に通話を制御する制御部とを備え、制御部は、子機のダイヤルボタン及びフックの内少なくとも一方による操作に基づいて、第１外線および第２外線のうち一方との２者通話中の状態または一方に発信中の状態から他方との２者通話中の状態に切り替える制御、ならびに、第１外線との通話中の状態から新たに着信した第１外線との通話中の状態に切り替える場合および第２外線との通話中の状態から新たに着信した第２外線との通話中の状態に切り替える場合以外で第１外線および第２外線のうち少なくとも一方を用いて２者以上で通話中の状態から新たに着信した第１外線または第２外線との通話中の状態に切り替える制御のうち少なくとも一方の制御を行うように構成されている。
【０００８】
この発明の第１の局面による電話機では、上記のように、子機のダイヤルボタンおよびフックのうち少なくとも一方による操作に基づいて、第１外線および第２外線のうち一方との２者通話中の状態または一方に発信中の状態から他方との２者通話中の状態に切り替える制御、ならびに、第１外線との通話中の状態から新たに着信した第１外線との通話中の状態に切り替える場合および第２外線との通話中の状態から新たに着信した第２外線との通話中の状態に切り替える場合以外で第１外線および第２外線のうち少なくとも一方を用いて２者以上で通話中の状態から新たに着信した第１外線または第２外線との通話中の状態に切り替える制御のうち少なくとも一方の制御を行う制御部を設けることによって、制御部により、子機に通常設けられているダイヤルボタンおよびフックを用いた操作により第１外線の通話中の状態と第２外線の通話中の状態とが切り替えられる、または、３者通話中の状態から新たに着信した外線との通話中の状態に切り替えられるので、通話中の状態を切り替えるために専用の子機を用いる必要がなく、汎用の子機を用いることができる。これにより、子機使用時の利便性を向上させながら、子機により通話中の状態を切り替えることができる。
【０００９】
上記第１の局面による電話機において、好ましくは、制御部は、子機のダイヤルボタンおよびフックのうち少なくとも一方による操作に基づいて、第１外線および第２外線のうち一方との２者通話中の状態または一方に発信中の状態から保留中の他方または新たに着信した他方との２者通話中の状態に切り替える制御、および、第１外線および第２外線を用いて３者以上で通話中の状態から新たに着信した第１外線または第２外線との通話中の状態に切り替える制御のうち少なくとも一方の制御を行うように構成されている。このように構成すれば、たとえば、制御部により、子機に通常設けられているダイヤルボタンおよびフックを用いた操作により第１外線の通話中の状態または発信中の状態と第２外線の通話中の状態とが切り替えられる、または、３者通話中の状態から新たに着信した外線との通話中の状態に切り替えられるので、通話中の状態を切り替えるために専用の子機を用いる必要がなく、汎用の子機を用いることができる。
【００１０】
上記第１の局面による電話機において、好ましくは、電話帳を記憶する記憶部をさらに備え、制御部は、ユーザが子機により第１外線および第２外線のうち少なくとも一方との通話中に、新たな着信があった際に、新たな着信が記憶部に記憶された電話帳に登録されている場合にはユーザに新たな着信を通知するとともに、新たな着信が電話帳に登録されていない場合にはユーザに新たな着信を通知しないように構成されている。このように構成すれば、ユーザが子機により通話中に新たな着信があった場合でも、新たな着信が電話帳に登録されている場合にだけユーザに新たな着信が通知されるので、現在の通話を必要以上に妨げないようにすることができる。
【００１１】
上記第１の局面による電話機において、好ましくは、制御部は、ユーザが子機により第１外線および第２外線のうち少なくとも一方との通話中に、新たな着信があった際に、第１外線および第２外線のいずれに対する着信かが識別可能なようにユーザに新たな着信を通知するように構成されている。このように構成すれば、ユーザが子機により通話中に新たな着信があった場合に、第１外線および第２外線のいずれに対する着信かをユーザに容易に認識させることができるので、着信した外線に対してユーザが容易に子機から適切な対応をとることができる。
【００１２】
上記第１の局面による電話機において、好ましくは、制御部は、第１外線の着信および第２外線の着信の両方があった場合、子機のフックを用いた異なるフッキング操作または異なるダイヤルボタンによる操作に基づいて、第１外線の着信および第２外線の着信のうち一方を選択的に通話中の状態にする制御を行うように構成されている。このように構成すれば、異なるフッキング操作または異なるダイヤルボタンによる操作により第１外線の着信および第２外線の着信のうち一方を選択的に通話中の状態にすることができるので、子機に第１外線および第２外線を選択するための専用のボタンを別途設ける必要がない。
【００１３】
上記第１の局面による電話機において、好ましくは、制御部は、第１外線および第２外線と３者通話中に第１外線および第２外線のうち少なくとも一方に着信があった場合、子機のダイヤルボタンおよびフックのうち少なくとも一方による操作に基づいて３者通話状態から第１外線または第２外線の着信との通話中の状態に切り替える制御を行うように構成されている。このように構成すれば、子機に３者通話状態から第１外線または第２外線の着信との通話中の状態に切り替えるための専用のボタンを別途設ける必要がない。この点でも、汎用の子機を使用することができる。
【００１４】
上記第１の局面による電話機において、好ましくは、制御部は、第１外線との通話中に第１外線の着信および第２外線の着信の両方があった場合、子機のダイヤルボタンおよびフックのうち少なくとも一方による操作に基づいて第１外線との通話中の状態から第１外線の着信との通話中の状態または第２外線との通話中の状態に切り替える制御を行うように構成されている。このように構成すれば、子機に第１外線との通話中の状態から第１外線の着信との通話中の状態または第２外線との通話中の状態に切り替えるための専用のボタンを別途設ける必要がない。この点でも、汎用の子機を使用することができる。
【００１５】
上記第１の局面による電話機において、好ましくは、現在の通話状態を表示する表示部をさらに備え、制御部は、第１外線および第２外線のそれぞれの通話状態に応じた優先順位に基づいて第１外線および第２外線に関する情報をそれぞれ表示部に表示する制御を行うように構成されている。このように構成すれば、ユーザが第１外線および第２外線に関する情報を視覚を通じて容易に確認することができる。
【００１６】
この場合、好ましくは、表示部は、第１表示領域および第２表示領域を含み、制御部は、第１外線および第２外線のうち通話中の状態である外線に関する情報を優先順位の高い情報として第１表示領域に表示させるとともに、第１外線および第２外線のうち着信中の状態または保留中の状態である外線に関する情報を優先順位の低い情報として第２表示領域に表示する制御を行うように構成されている。このように構成すれば、外線に関する情報が優先順位に基づいて表示領域が区別されて表示されるので、ユーザが第１外線および第２外線に関する情報をより容易に確認することができる。
【００１７】
上記表示部を備える構成において、好ましくは、表示部は、第１外線および第２外線の通話状態を操作するためのタッチパネル機能を含み、制御部は、第１外線および第２外線に関するそれぞれの情報とともに、タッチパネルにより操作可能な第１外線および第２外線の通話状態を切り替えるための操作ボタンと、３者通話に切り替えるための操作ボタンとを表示部の同一画面上に表示させて、タッチパネルを介する操作に基づいて第１外線および第２外線の通話状態を切り替えまたは３者通話に切り替える制御を行うように構成されている。このように構成すれば、ユーザが第１外線および第２外線に関するそれぞれの情報を表示部で確認しながらタッチパネルを介する操作により第１外線および第２外線の通話状態を切り替えまたは３者通話に切り替える操作を容易に行うことができる。
【００１８】
この発明の第２の局面による固定電話機は、ダイヤルボタンと通話を切断するためのフックとを含むとともに専用のボタンを用いずに３者通話可能な子機に接続可能な内線通信部と、第１外線に接続可能な第１外線通信部および第２外線に接続可能な第２外線通信部と、第１外線および第２外線のうち少なくとも一方を用いた２者以上で通話可能に通話を制御する制御部とを備え、制御部は、子機のダイヤルボタン及びフックの内少なくとも一方による操作に基づいて、第１外線および第２外線のうち一方との２者通話中の状態または一方に発信中の状態から他方との２者通話中の状態に切り替える制御、ならびに、第１外線との通話中の状態から新たに着信した第１外線との通話中の状態に切り替える場合および第２外線との通話中の状態から新たに着信した第２外線との通話中の状態に切り替える場合以外で第１外線および第２外線のうち少なくとも一方を用いて２者以上で通話中の状態から新たに着信した第１外線または第２外線との通話中の状態に切り替える制御のうち少なくとも一方の制御を行うように構成されている。
【００１９】
この発明の第２の局面による固定電話機では、上記のように、子機のダイヤルボタンおよびフックのうち少なくとも一方による操作に基づいて、第１外線および第２外線のうち一方との２者通話中の状態または一方に発信中の状態から他方との２者通話中の状態に切り替える制御、ならびに、第１外線との通話中の状態から新たに着信した第１外線との通話中の状態に切り替える場合および第２外線との通話中の状態から新たに着信した第２外線との通話中の状態に切り替える場合以外で第１外線および第２外線のうち少なくとも一方を用いて２者以上で通話中の状態から新たに着信した第１外線または第２外線との通話中の状態に切り替える制御のうち少なくとも一方の制御を行う制御部を設けることによって、制御部により、子機に通常設けられているダイヤルボタンおよびフックを用いた操作により第１外線の通話中の状態と第２外線の通話中の状態とが切り替えられる、または、３者通話中の状態から新たに着信した外線との通話中の状態に切り替えられるので、通話中の状態を切り替えるために専用の子機を用いる必要がなく、汎用の子機を用いることができる。これにより、子機使用時の利便性を向上させながら、子機により通話中の状態を切り替えることができる。このような効果は、特に、子機を接続することが多い固定電話機において有効である。
【図面の簡単な説明】
【００２０】
【図１】本発明の第１および第２実施形態による固定電話機が接続された回線を示した全体構成図である。
【図２】本発明の第１および第２実施形態による固定電話機の構成を示したブロック図である。
【図３】本発明の第１実施形態による固定電話機の制御部による電話を着信した際の処理を説明するためのフローチャートである。
【図４】本発明の第１実施形態による固定電話機の制御部による通話中に１回線の電話を着信した際の切替処理を説明するためのフローチャートである。
【図５】本発明の第１実施形態による固定電話機の表示部による通話状態表示を示した図である。
【図６】本発明の第１実施形態による固定電話機の制御部による通話中に２回線の電話を着信した際の切替処理を説明するためのフローチャートである。
【図７】本発明の第２実施形態による固定電話機の制御部による通話中に２回線の電話を着信した際の切替処理を説明するためのフローチャートである。
【図８】本発明の第２実施形態による固定電話機の表示部による通話状態表示を示した図である。
【発明を実施するための形態】
【００２１】
以下、本発明の実施形態を図面に基づいて説明する。
【００２２】
（第１実施形態）
まず、図１および図２を参照して、本発明の第１実施形態による固定電話機１の構成について説明する。なお、固定電話機１は、本発明の「電話機」の一例である。
【００２３】
本発明の第１実施形態による固定電話機１は、図１に示すように、子機２と接続されている。また、固定電話機１は、アナログ回線１００と接続されている。また、アナログ回線１００には、外部電話機３ａ〜３ｄがそれぞれ接続されている。
【００２４】
固定電話機１は、図２に示すように、制御部１１と、内線通信部１２と、Ｌ１通信部１３と、Ｌ２通信部１４と、記憶部１５と、操作部１６と、表示部１７と、スピーカ１８と、マイク１９とを備えている。固定電話機１は、内線通信部１２を介して、子機２に接続されている。また、固定電話機１は、Ｌ１通信部１３およびＬ２通信部１４を介して、それぞれ、アナログ回線１００のＬ１回線およびＬ２回線に接続されている。子機２は、ダイヤルボタン２１と、送受話器２２と、フック２３とを含んでいる。なお、Ｌ１通信部１３およびＬ２通信部１４は、それぞれ、本発明の「第１外線通信部」および「第２外線通信部」の一例であり、Ｌ１回線およびＬ２回線は、それぞれ、本発明の「第１外線」および「第２外線」の一例である。
【００２５】
制御部１１は、固定電話機１の各部を制御するように構成されている。また、制御部１１は、Ｌ１回線またはＬ２回線と２者通話可能に通話を制御するように構成されている。また、制御部１１は、Ｌ１回線およびＬ２回線と３者通話可能に通話を制御するように構成されている。また、制御部１１は、Ｌ１回線の通話状態とＬ２回線の通話状態とを切り替える制御を行うように構成されている。また、制御部１１は、子機２のフック２３による操作を内線通信部１２を介して受け付けるように構成されている。
【００２６】
また、制御部１１は、Ｌ１回線またはＬ２回線と通話中に、新たな着信があった際に、新たな着信を通知するように構成されている。具体的には、制御部１１は、Ｌ１回線またはＬ２回線と通話中に、新たな着信があった際に、図５に示すように、固定電話機１の表示部１７により新たな着信を表示するとともに、スピーカ１８および子機２の送受話器２２により通話中着信音で新たな着信を通知するように構成されている。また、制御部１１は、通話中に新たな着信があった場合、Ｌ１回線に着信したのかＬ２回線に着信したのかを識別可能に通知するように構成されている。具体的には、制御部１１は、新たな着信がＬ１回線およびＬ２回線のいずれの着信であるかを表示部１７に表示するとともに、新たな着信がＬ１回線の場合とＬ２回線の場合とで通話中着信音を変えて（たとえば、Ｌ１回線の場合「ツッ」という音、Ｌ２回線の場合「ツッツッ」という音）スピーカ１８および子機２の送受話器により着信を通知するように構成されている。
【００２７】
記憶部１５には、電話帳１５ａが記憶されている。電話帳１５ａには、電話番号および名前が互いに対応付けられて登録されている。また、電話帳１５ａは、書き換え可能に構成されている。操作部１６は、ダイヤルボタンを含んでいる。また、操作部１６は、発信時の電話番号を入力する際に用いられるように構成されている。また、操作部１６は、電話帳１５ａに電話番号と名前とを入力する際に用いられるように構成されている。
【００２８】
表示部１７は、図５に示すように、第１表示領域１７ａおよび第２表示領域１７ｂを含んでいる。また、表示部１７は、現在の通話状態を表示可能に構成されている。具体的には、表示部１７は、Ｌ１回線およびＬ２回線の電話番号および電話帳１５ａに登録された電話番号に対応した名前を表示可能に構成されている。第１表示領域１７ａには、通話中の状態の回線に関する情報（電話番号および電話番号に対応した名前）を優先順位の高い情報として表示するように構成されている。第２表領域１７ｂには、着信中の状態または保留中の状態の回線に関する情報（電話番号および電話番号に対応した名前）を優先順位の低い情報として表示するように構成されている。ただし、３者通話の場合は、Ｌ１回線およびＬ２回線の両方が通話中の状態であるため、一方の情報を第１表示領域１７ａに表示して他方の情報を第２表示領域１７ｂに表示するものとする。また、表示部１７は、第１表示領域１７ａおよび第２表示領域１７ｂと同一画面上に、Ｌ１回線およびＬ２回線の通話状態を切り替えるための通話切替ボタン１７ｃおよび３者通話に切り替える３者通話ボタン１７ｄを表示可能に構成されている。なお、通話切替ボタン１７ｃおよび３者通話ボタン１７ｄは、本発明の「操作ボタン」の一例である。
【００２９】
スピーカ１８は、通話中に電気信号を音声に変換して出力するように構成されている。また、スピーカ１８は、着信を通知するための音声を出力可能に構成されている。マイク１９は、通話中の音声を電気信号に変換するように構成されている。
【００３０】
子機２は、内線通信部１２を介して固定電話機１に接続されている。これにより、固定電話機１で電話を発着信するのと同様に子機２でもＬ１回線またはＬ２回線を介して電話を発着信させることが可能である。なお、子機２は、固定電話機１付属の専用子機でなくてもよく、内線通信部１２に接続できるものであればよい。子機２のダイヤルボタン２１は、発信時の電話番号を入力する際に用いられるように構成されている。子機２の送受話器２２は、マイク機能およびスピーカ機能を有し、相手と会話ができるように構成されている。また、子機２のフック２３は、通話を切断することが可能に構成されている。また、フック２３は、Ｌ１回線の通話状態とＬ２回線の通話状態とを切り替えるための操作に用いられる。
【００３１】
次に、図３を参照して、Ｌ１回線と通話中にＬ２回線から着信した際に、制御部１１の行う処理について説明する。ここでは、Ｌ１回線を介して外部電話機３ａ（図１参照）と通話中にＬ２回線を介して外部電話機３ｂ（図１参照）から着信した場合の例について説明する。
【００３２】
Ｌ１回線を介して外部電話機３ａと通話中にＬ２回線を介して外部電話機３ｂから着信すると、図３のステップＳ１において、制御部１１は、着信したＬ２回線の外部電話機３ｂの電話番号が電話帳１５ａに登録されているか否かを判断する。登録されていれば、ステップＳ２において、制御部１１は、Ｌ２回線の着信を固定電話機１の表示部１７および子機２の送受話器２２によりユーザに通知を行う。具体的には、制御部１１は、新たに着信があったＬ２回線の外部電話機３ｂの電話番号およびこの電話番号に対応する名前を表示部１７の第２表示領域１７ｂに表示（図５参照）させる。なお、この時、表示部１７の第１表示領域１７ａには、通話中であるＬ１回線の外部電話機３ａの電話番号およびこの電話番号に対応する名前が表示されている。また、制御部１１は、Ｌ２回線の着信を子機２の送受話器２２から通話中着信音（たとえば、Ｌ２回線からの着信を表す「ツッツッ」という音）を出力させる。ステップＳ３において、制御部１１は、Ｌ１回線の通話状態およびＬ２回線の通話状態の切替処理を行う。その後、Ｌ１回線と通話中にＬ２回線から着信した際の処理を終了する。一方、電話帳１５ａに登録されていなければ、ステップＳ４において、制御部１１は、Ｌ２回線の着信に対して留守番電話対応を行い、Ｌ１回線と通話中にＬ２回線から着信した際の処理を終了する。
【００３３】
次に、図４を参照して、上記Ｌ１回線と通話中にＬ２回線から着信した際の処理のステップＳ３の切替処理について説明する。
【００３４】
ステップＳ１１において、制御部１１は、フッキング信号を検出したか否かを判断する。なお、フッキング信号は、ユーザが子機２のフック２３を押下することにより制御部１１に対して発信される。制御部１１は、フッキング信号を検出するまでこの判断を繰り返す。フッキング信号を検出すれば、ステップＳ１２において、制御部１１は、Ｌ１回線を通話中の状態から保留の状態に遷移させるとともに、Ｌ２回線を着信中の状態から通話中の状態に遷移させてＬ１の通話状態およびＬ２の通話状態を切り替える。ステップＳ１３において、制御部１１は、フッキング信号を検出したか否かを判断する。制御部１１は、フッキング信号を検出するまでこの判断を繰り返す。フッキング信号を検出すれば、ステップＳ１４において、制御部１１は、Ｌ１回線を保留の状態から通話中の状態に遷移させるとともに、Ｌ２回線を通話中の状態から保留の状態に遷移させてＬ１回線の通話状態およびＬ２回線の通話状態を切り替える。その後、制御部１１は、切替処理を終了する。
【００３５】
次に、図６を参照して、Ｌ１回線と通話中にＬ１回線にキャッチホン（登録商標）着信があり、かつＬ２回線に着信があった際の制御部１１による切替処理について説明する。ここでは、Ｌ１回線を介して外部電話機３ａ（図１参照）と通話中にＬ１回線を介して外部電話機３ｂ（図１参照）からキャッチホン着信があり、かつ、Ｌ２回線を介して外部電話機３ｃ（図１参照）から着信した場合の例について説明する。
【００３６】
ステップＳ２１において、制御部１１は、何回のフッキング信号を検出したかを判断する。なお、フッキング信号は、ユーザが子機２のフック２３を押下した回数だけ制御部１１に対して発信される。検出したフッキング信号が１回であれば、ステップＳ２２において、制御部１１は、Ｌ１回線にフッキング信号を出力する。これにより、Ｌ１回線を介した外部電話機３ｂのキャッチホン着信が通話中の状態に遷移して、最初に通話していたＬ１回線を介した外部電話機３ａが保留の状態に遷移する。ステップＳ２３において、制御部１１は、１回のフッキング信号を検出したか否かを判断する。制御部１１は、１回のフッキング信号を検出するまでこの判断を繰り返す。１回のフッキング信号を検出すれば、ステップＳ２４において、制御部１１は、Ｌ１回線にフッキング信号を出力する。これにより、最初に通話していたＬ１回線を介した外部電話機３ａが保留の状態から通話中の状態に遷移して、キャッチホン着信したＬ１回線を介した外部電話機３ｂが通話中の状態から保留の状態に遷移する。その後、制御部１１は、切替処理を終了する。
【００３７】
一方、検出したフッキング信号が２回であれば、ステップＳ２５において、制御部１１は、最初に通話していたＬ１回線を介した外部電話機３ａを通話中の状態から保留の状態に遷移して、着信したＬ２回線を介した外部電話機３ｃを通話中の状態に遷移する。ステップＳ２６において、制御部１１は、２回のフッキング信号を検出したか否かを判断する。制御部１１は、２回のフッキング信号を検出するまでこの判断を繰り返す。２回のフッキング信号を検出すれば、ステップＳ２７において、制御部１１は、最初に通話していたＬ１回線を介した外部電話機３ａを保留の状態から通話中の状態に遷移させるとともに、Ｌ２回線を介した外部電話機３ｃを通話中の状態から保留の状態に遷移させて切替処理を終了する。すなわち、制御部１１は、異なるフッキング操作に基づいてＬ１回線の着信およびＬ２回線の着信のうち一方を選択的に通話中の状態にする制御を行うように構成されている。
【００３８】
第１実施形態では、上記のように、子機２のフック２３による操作に基づいて、Ｌ１回線（Ｌ２回線）との２者通話中の状態から新たに着信したＬ２回線（保留中のＬ１回線）との２者通話中の状態に切り替える制御を行う制御部１１を設けることによって、制御部１１により、子機２に通常設けられているフック２３を用いた操作によりＬ１回線の通話中の状態とＬ２回線の通話中の状態とが切り替えられるので、Ｌ１回線およびＬ２回線のうち一方との通話中の状態から他方との通話中の状態に切り替えるために専用の子機を用いる必要がなく、汎用の子機２を用いることができる。これにより、子機２使用時の利便性を向上させながら、子機２により通話中の状態を切り替えることができる。このような効果は、特に、子機を接続することが多い固定電話機１において有効である。
【００３９】
また、第１実施形態では、上記のように、電話帳１５ａを記憶する記憶部１５を設けるとともに、制御部１１を、ユーザが子機２によりＬ１回線との通話中に、新たな着信があった際に、新たな着信が記憶部１５に記憶された電話帳１５ａに登録されている場合にはユーザに新たな着信を通知するとともに、新たな着信が電話帳１５ａに登録されていない場合にはユーザに新たな着信を通知しないように構成することによって、ユーザが子機２により通話中に新たな着信があった場合でも、新たな着信が電話帳１５ａに登録されている場合にだけユーザに新たな着信が通知されるので、現在の通話を必要以上に妨げないようにすることができる。
【００４０】
また、第１実施形態では、上記のように、制御部１１を、Ｌ１回線との通話中に新たな着信があった際に、Ｌ１回線およびＬ２回線のいずれに対する着信かが識別可能なようにユーザに新たな着信を通知するように構成することによって、ユーザが子機２により通話中に新たな着信があった場合に、Ｌ１回線およびＬ２回線のいずれに対する着信かをユーザに容易に認識させることができるので、着信した回線に対してユーザが容易に子機２から適切な対応をとることができる。
【００４１】
また、第１実施形態では、上記のように、制御部１１を、Ｌ１回線の着信およびＬ２回線の着信の両方があった場合、子機２のフック２３を用いた異なるフッキング操作に基づいて、Ｌ１回線の着信およびＬ２回線の着信のうち一方を選択的に通話中の状態にする制御を行うように構成することによって、異なるフッキング操作によりＬ１回線の着信およびＬ２回線の着信のうち一方を選択的に通話中の状態にすることができるので、子機２にＬ１回線およびＬ２回線を選択するための専用のボタンを別途設ける必要がない。
【００４２】
また、第１実施形態では、上記のように、制御部１１を、Ｌ１回線との通話中にＬ１回線のキャッチホン着信およびＬ２回線の着信の両方があった場合、子機２のフック２３による操作に基づいてＬ１回線との通話中の状態からＬ１回線のキャッチホン着信との通話中の状態またはＬ２回線との通話中の状態に切り替える制御を行うように構成することによって、子機２にＬ１回線との通話中の状態からＬ１回線のキャッチホン着信との通話中の状態またはＬ２回線との通話中の状態に切り替えるための専用のボタンを別途設ける必要がない。この点でも、汎用の子機２を使用することができる。
【００４３】
また、第１実施形態では、上記のように、現在の通話状態を表示する表示部１７を設けるとともに、制御部１１を、Ｌ１回線およびＬ２回線のそれぞれの通話状態に応じた優先順位に基づいてＬ１回線およびＬ２回線の電話番号および電話帳１５ａに登録された電話番号に対応した名前をそれぞれ表示部１７に表示する制御を行うように構成することによって、ユーザがＬ１回線およびＬ２回線に関する情報を視覚を通じて容易に確認することができる。
【００４４】
また、第１実施形態では、上記のように、表示部１７に、第１表示領域１７ａおよび第２表示領域１７ｂを設け、Ｌ１回線およびＬ２回線のうち通話中の状態である回線の電話番号および電話番号に対応した名前を優先順位の高い情報として第１表示領域１７ａに表示させるとともに、Ｌ１回線およびＬ２回線のうち着信中の状態または保留中の状態である回線の電話番号および電話番号に対応した名前を優先順位の低い情報として第２表示領域１７ｂに表示する制御を行うように制御部１１を構成することによって、回線に関する情報（電話番号および電話番号に対応した名前）が優先順位に基づいて表示領域が区別されて表示されるので、ユーザがＬ１回線およびＬ２回線に関する情報をより容易に確認することができる。
【００４５】
また、第１実施形態では、上記のように、表示部１７に、Ｌ１回線およびＬ２回線の通話状態を操作するためのタッチパネル機能を設け、Ｌ１回線およびＬ２回線に関するそれぞれの電話番号および電話帳１５ａに登録された電話番号に対応した名前とともに、タッチパネルにより操作可能なＬ１回線およびＬ２回線の通話状態を切り替えるための通話切替ボタン１７ｃと、３者通話に切り替えるための３者通話ボタン１７ｄとを表示部１７の同一画面上に表示させて、タッチパネルを介する操作に基づいてＬ１回線およびＬ２回線の通話状態を切り替えまたは３者通話に切り替える制御を行うように制御部を構成することによって、ユーザがＬ１回線およびＬ２回線に関するそれぞれの情報を表示部で確認しながらタッチパネルを介する操作によりＬ１回線およびＬ２回線の通話状態を切り替えまたは３者通話に切り替える操作を容易に行うことができる。
【００４６】
（第２実施形態）
次に、図１、図２、図７および図８を参照して、本発明の第２実施形態による固定電話機１について説明する。この第２実施形態では、Ｌ１回線およびＬ２回線の通話状態を子機２のフック２３による操作に基づいて切り替える構成の上記第１実施形態と異なり、Ｌ１回線およびＬ２回線の通話状態を子機２のダイヤルボタン２１による操作に基づいて切り替える構成の固定電話機１について説明する。なお、第２実施形態では、制御部１１は、Ｌ１回線およびＬ２回線のうち一方との２者通話中の状態から他方との２者通話中の状態に切り替える制御を行う第１実施形態の機能に追加して、Ｌ１回線およびＬ２回線を用いて３者以上で通話中の状態から新たに着信したＬ１回線またはＬ２回線との通話中の状態に切り替える制御を行う機能を有する。また、固定電話機１は、本発明の「電話機」の一例である。
【００４７】
制御部１１は、固定電話機１の各部を制御するように構成されている。また、制御部１１は、Ｌ１回線またはＬ２回線と２者通話可能に通話を制御するように構成されている。また、制御部１１は、Ｌ１回線およびＬ２回線と３者通話可能に通話を制御するように構成されている。また、制御部１１は、Ｌ１回線の通話状態とＬ２回線の通話状態とを切り替える制御を行うように構成されている。また、制御部１１は、子機２のダイヤルボタン２１による操作を内線通信部１２を介して受け付けるように構成されている。Ｌ１回線およびＬ２回線は、それぞれ、本発明の「第１外線」および「第２外線」の一例である。
【００４８】
また、制御部１１は、Ｌ１回線およびＬ２回線と３者通話中に、新たな着信があった際に、新たな着信を通知するように構成されている。具体的には、制御部１１は、Ｌ１回線およびＬ２回線と３者通話中に、新たな着信があった際に、図８に示すように、固定電話機１の表示部１７により新たな着信を表示するとともに、スピーカ１８および子機２の送受話器２２により通話中着信音で新たな着信を通知するように構成されている。また、制御部１１は、通話中に新たな着信があった場合、Ｌ１回線に着信したのかＬ２回線に着信したのかを識別可能に通知するように構成されている。具体的には、制御部１１は、新たな着信がＬ１回線およびＬ２回線のいずれの着信であるかを表示部１７に表示するとともに、新たな着信がＬ１回線の場合とＬ２回線の場合とで通話中着信音を変えて（たとえば、Ｌ１回線の場合「ツッ」という音、Ｌ２回線の場合「ツッツッ」という音）スピーカ１８および子機２の送受話器により着信を通知するように構成されている。
【００４９】
子機２のダイヤルボタン２１は、発信時の電話番号を入力する際に用いられるように構成されている。また、ダイヤルボタン２１は、Ｌ１回線の通話状態とＬ２回線の通話状態とを切り替えるための操作を入力可能に構成されている。
【００５０】
次に、図７を参照して、Ｌ１回線およびＬ２回線と３者通話中にＬ１回線およびＬ２回線の両方にキャッチホン着信があった際の制御部１１による切替処理について説明する。ここでは、Ｌ１回線を介して外部電話機３ａ（図１参照）およびＬ２回線を介して外部電話機３ｂ（図１参照）と３者通話中にＬ１回線を介して外部電話機３ｃ（図１参照）からキャッチホン着信があり、かつ、Ｌ２回線を介して外部電話機３ｄ（図１参照）からキャッチホン着信した場合の例について説明する。
【００５１】
ステップＳ３１において、制御部１１は、「１」または「２」のどちらのトーン信号を検出したかを判断する。なお、トーン信号は、ユーザが子機２のダイヤルボタン２１を押下した際に制御部１１に対して発信される。検出したトーン信号が「１」であれば（ダイヤルボタン２１の「１」が押下されれば）、ステップＳ３２において、制御部１１は、Ｌ１回線にフッキング信号を出力する。ステップＳ３３において、制御部１１は、Ｌ１回線を介した外部電話機３ｃのキャッチホン着信を通話中の状態に遷移させて、最初に３者通話していたＬ１回線を介した外部電話機３ａおよびＬ２回線を介した外部電話機３ｂを保留の状態に遷移させる。ステップＳ３４において、制御部１１は、トーン信号「１」を検出したか否かを判断する。制御部１１は、トーン信号「１」を検出するまでこの判断を繰り返す。トーン信号「１」を検出すれば、ステップＳ３５において、制御部１１は、最初に３者通話していたＬ１回線を介した外部電話機３ａおよびＬ２回線を介した外部電話機３ｂを保留の状態から３者通話中の状態に遷移させるとともに、キャッチホン着信したＬ１回線を介した外部電話機３ｃを通話中の状態から保留の状態に遷移させて切替処理を終了する。
【００５２】
一方、検出したトーン信号が「２」であれば（ダイヤルボタン２１の「２」が押下されれば）、ステップＳ３６において、制御部１１は、Ｌ２回線にフッキング信号を出力する。ステップＳ３７において、制御部１１は、Ｌ２回線を介した外部電話機３ｄのキャッチホン着信を通話中の状態に遷移して、最初に３者通話していたＬ１回線を介した外部電話機３ａおよびＬ２回線を介した外部電話機３ｂを保留の状態に遷移する。ステップＳ３８において、制御部１１は、トーン信号「２」を検出したか否かを判断する。制御部１１は、トーン信号「２」を検出するまでこの判断を繰り返す。トーン信号「２」を検出すれば、ステップＳ３９において、制御部１１は、最初に３者通話していたＬ１回線を介した外部電話機３ａおよびＬ２回線を介した外部電話機３ｂを保留の状態から３者通話中の状態に遷移させるとともに、キャッチホン着信したＬ２回線を介した外部電話機３ｄを通話中の状態から保留の状態に遷移させて切替処理を終了する。すなわち、制御部１１は、異なるダイヤルボタン２１による操作に基づいてＬ１回線の着信およびＬ２回線の着信のうち一方を選択的に通話中の状態にする制御を行うように構成されている。
【００５３】
なお、第２実施形態のその他の構成は、上記第１実施形態と同様である。
【００５４】
第２実施形態では、上記のように、子機２のダイヤルボタン２１による操作に基づいてＬ１回線およびＬ２回線を用いて３者通話中の状態から新たに着信したＬ１回線またはＬ２回線との通話中の状態に切り替える制御を行う制御部１１を設けることによって、制御部１１により、子機２に通常設けられているダイヤルボタン２１を用いた操作により３者通話中の状態から新たに着信した外線との通話中の状態に切り替えられるので、通話中の状態を切り替えるために専用の子機を用いる必要がなく、汎用の子機２を用いることができる。これにより、子機２使用時の利便性を向上させながら、子機２により通話中の状態を切り替えることができる。このような効果は、特に、子機を接続することが多い固定電話機１において有効である。
【００５５】
さらに、第２実施形態では、上記のように、制御部１１を、Ｌ１回線の着信およびＬ２回線の着信の両方があった場合、子機２の異なるダイヤルボタン２１による操作に基づいて、Ｌ１回線の着信およびＬ２回線の着信のうち一方を選択的に通話中の状態にする制御を行うように構成することによって、異なるダイヤルボタン２１による操作によりＬ１回線の着信およびＬ２回線の着信のうち一方を選択的に通話中の状態にすることができるので、子機２にＬ１回線およびＬ２回線を選択するための専用のボタンを別途設ける必要がない。
【００５６】
さらに、第２実施形態では、上記のように、制御部１１を、Ｌ１回線およびＬ２回線と３者通話中にＬ１回線およびＬ２回線の両方にキャッチホン着信があった場合、子機２のダイヤルボタン２１による操作に基づいて３者通話状態からＬ１回線またはＬ２回線のキャッチホン着信との通話中の状態に切り替える制御を行うように構成することによって、子機２に３者通話状態からＬ１回線またはＬ２回線のキャッチホン着信との通話中の状態に切り替えるための専用のボタンを別途設ける必要がない。この点でも、汎用の子機２を使用することができる。
【００５７】
なお、第２実施形態のその他の効果は、上記第１実施形態と同様である。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記第１および第２実施形態では、本発明の電話機の一例として固定電話機を適用する例を示したが、本発明はこれに限られない。本発明では、固定電話機以外の電話機に適用してもよい。たとえば、携帯電話機等に本発明の電話機を適用してもよい。
【００６０】
また、上記第１実施形態では、子機のフックによる操作に基づいてＬ１回線（第１外線）の通話状態とＬ２回線（第２外線）の通話状態とを切り替えて、上記第２実施形態では、子機のダイヤルボタンによる操作に基づいてＬ１回線（第１外線）の通話状態とＬ２回線（第２外線）の通話状態とを切り替える構成の例を示したが、本発明はこれに限られない。本発明では、子機のフックおよびダイヤルボタンの両方の操作に基づいて第１外線の通話状態と第２外線の通話状態とを切り替える構成でもよい。たとえば、子機のダイヤルボタンによる操作に続けてフックによるフッキング操作に基づいて第１外線の通話状態と第２外線の通話状態とを切り替えてもよい。
【００６１】
また、上記第１および第２実施形態では、Ｌ１回線（第１外線）と通話中またはＬ１回線（第１外線）およびＬ２回線（第２外線）と３者通話中に新たな着信があった場合の例について示したが、本発明はこれに限られない。本発明では、第２外線と通話中に新たな着信があった場合に、新たな着信を通知して、子機のダイヤルボタンおよびフックのうち少なくとも一方による操作に基づいて制御部により第１外線の通話状態と第２外線の通話状態とを切り替えるようにしてもよい。
【００６２】
また、上記第１実施形態では、Ｌ１回線（第１外線）と通話中にＬ２回線（第２外線）に新たに着信があった場合に第１外線および第２外線のいずれに対する着信かが識別可能なように新たな着信を通知する例について示したが、本発明はこれに限られない。本発明では、第２外線と通話中に新たな着信があった場合に第１外線および第２外線のいずれに対する着信かが識別可能なように新たな着信を通知してもよい。
【００６３】
また、上記第１および第２実施形態では、説明の便宜上、制御部の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【００６４】
また、上記第１および第２実施形態では、電話機としての固定電話機に接続される外線が、第１外線としてのＬ１回線および第２外線としてのＬ２回線の２つである例を示したが、本発明はこれに限られない。本発明では、電話機に接続される外線が３つ以上であってもよい。この場合、３つ以上の外線を用いて４者以上で通話できるようにしてもよい。
【００６５】
また、上記第２実施形態では、子機の操作に基づいてＬ１回線（第１外線）の通話中の状態からＬ２回線（第２外線）の通話中の状態に切り替え可能に構成されているとともに、子機の操作に基づいて３者通話の状態からＬ１回線（第１外線）またはＬ２回線（第２外線）との通話中の状態に切り替え可能に構成されている例を示したが、本発明はこれに限られない。本発明では、子機の操作に基づいて３者以上で通話中の状態から新たに着信した第１外線または第２外線との通話中の状態に切り替えることのみ可能な構成でもよい。
【００６６】
また、上記第１実施形態では、Ｌ１回線（第１外線）との通話中に新たにＬ２回線（第２外線）から着信があった場合に、子機の操作に基づいて第１外線との通話中の状態から新たに着信があった第２外線との通話中の状態に切り替える構成の例を示したが、本発明はこれに限られない。本発明では、第１外線と通話中で第２外線は保留中の場合に新たに第２外線から着信があった場合に、子機の操作（ダイヤルボタンおよびフックのうち少なくとも一方による操作）に基づいて第１外線との通話中の状態から新たに着信があった第２外線との通話中の状態に切り替える構成であってもよい。
【００６７】
また、上記第１実施形態では、Ｌ１回線（第１外線）との通話中に新たにＬ２回線（第２外線）から着信があった場合に、子機の操作に基づいて第１外線との通話中の状態から新たに着信があった第２外線との通話中の状態に切り替える構成の例を示したが、本発明はこれに限られない。本発明では、第１外線に発信中に新たに第２外線から着信があった場合に、子機の操作（ダイヤルボタンおよびフックのうち少なくとも一方による操作）に基づいて第１外線に発信中の状態から保留中または新たに着信があった第２外線との通話中の状態に切り替える構成であってもよい。
【符号の説明】
【００６８】
１  固定電話機（電話機）
２  子機
１１  制御部
１２  内線通信部
１３  Ｌ１通信部（第１外線通信部）
１４  Ｌ２通信部（第２外線通信部）
１５  記憶部
１５ａ  電話帳
１７  表示部
１７ａ  第１表示領域
１７ｂ  第２表示領域
１７ｃ  通話切替ボタン（操作ボタン）
１７ｄ  ３者通話ボタン（操作ボタン）
２１  ダイヤルボタン
２３  フック
【図１】
2013012987.tif 000003
【図２】
2013012987.tif 000004
【図３】
2013012987.tif 000005
【図４】
2013012987.tif 000006
【図５】
2013012987.tif 000007
【図６】
2013012987.tif 000008
【図７】
2013012987.tif 000009
【図８】
2013012987.tif 000010